(57)【要約】【課題】防水層に形成された防水層貫通孔の防水を良好な作業性を確保して確実に行え、防水用充填材の使用量の抑制、防水用ディスクの防水層からの突出寸法の抑制を実現できる技術の開発。【解決手段】  本発明は、母材１表面の防水層３を貫通して突設されたアンカー体２０の前記防水層３から突出された部分である突出部２５に外挿されるディスクであって、ディスク本体３１の中央突壁３５の外周に装着したＯリング３２と前記中央突壁３５を囲繞する同心円状の外周突壁３４との間にクリアランスＣを確保した構成の防水用ディスク３０、アンカー体２０の前記突出部２５に外挿した前記ディスク３０を、前記突出部２５の根元の周囲に形成した充填材盛り上げ部４ｂに押し付けて、アンカー体２０が貫通されている防水層貫通孔３ａの防水を行う防水施工方法を提供する。【選択図】図４
2010265670.tif 000002
【特許請求の範囲】
【請求項１】
母材表面の防水層を貫通して設けられたアンカー体の前記防水層から突出された部分である突出部に外挿して、前記アンカー体の前記突出部の根元の周囲に防水用充填材を肉盛りした充填材盛り上げ部に押し付けることで、前記防水層の前記アンカー体が貫通されている防水層貫通孔及びその廻りの防水に用いられる防水用ディスクであって、
円盤状の主板部の片面側に該主板部の外周に沿って突設された外周突壁及び前記主板部の中央部に突設された中央突壁を有し前記アンカー体が挿通されるアンカー体挿通孔が前記中央突壁及び前記主板部を貫通して形成されたディスク本体と、このディスク本体のリング状の前記中央突壁とリング状の前記外周突壁との間に確保された環状溝に挿入して前記中央突壁の外周に設けられたＯリングとを備え、前記Ｏリングと前記外周突壁との間にはクリアランスが確保され、前記外周突壁の前記主板部からの突出寸法が前記中央突壁の前記主板部からの突出寸法よりも大きく設定され、かつ前記Ｏリングの断面径が前記外周突壁の前記主板部からの突出寸法よりも大きく設定されていることを特徴とする防水用ディスク。
【請求項２】
前記Ｏリングと前記外周突壁との間の前記クリアランスが、前記ナットの締め付け力によって前記Ｏリングを前記防水層に押し付けて弾性変形させ前記防水層に前記外周突壁を押し付けたときに、前記Ｏリングと前記外周突壁との間の非接触状態を維持し前記Ｏリングと前記外周突壁との間に前記防水用充填材を収容するリング状の外側環状凹所を確保できる大きさとされていることを特徴とする請求項１記載の防水用ディスク。
【請求項３】
アンカー体を母材表面に設けられた防水層に形成された防水層貫通孔に貫通させて前記母材に固着したアンカー施工箇所について、請求項１又は２記載の防水用ディスクを用いて前記防水層貫通孔及びその廻りの防水を行う防水施工方法であって、
前記アンカー体の前記突出部の根元の周囲に防水用充填材を盛り上げておいた充填材盛り上げ部を設けておき、アンカー体の前記防水層から突出された突出部に前記Ｏリングが前記母材側となる向きで外挿した前記防水用ディスクを、前記アンカー体の前記突出部に設けられている雄ねじ部に螺着したナットの締め付けによって前記防水用ディスクを介して前記防水層とは反対側から押圧して前記防水層に押し付けて固定することを特徴とする防水施工方法。
【請求項４】
前記アンカー体は、前記母材に前記防水層貫通孔に連通させて形成された下穴に挿入して前記母材に対して機械的に固着される機械的固着部を有し、前記機械的固着部によって前記母材に固着されており、
前記充填材盛り上げ部が、前記下穴に入れておいた接着材を前記下穴への前記アンカー体の挿入によって前記下穴から溢れさせて前記アンカー体の前記突出部の根元の周囲に盛り上がらせて肉盛り状態としたものであることを特徴とする請求項３記載の防水施工方法。
【発明の詳細な説明】
【技術分野】
【０００１】
本発明は、アンカーを母材に該母材表面の防水層を貫通させて固着して施工する際に前記防水層に形成される貫通孔及びその付近の防水を行うための防水施工方法、この防水施工方法に好適に用いることができる防水用ディスクに関する。
【背景技術】
【０００２】
例えば建物屋上への設備機器の設置にあっては、建物躯体に対してアンカー（あと施工アンカー）を施工して、このアンカーを建物躯体に対する機器の固定に利用する工法が多用されている。
しかしながら、アンカーをその施工のために屋上防水層（例えば防水塗膜、防水シート等）に貫通させると、この貫通部分の防水性の確保が必要となる。
【０００３】
これに鑑みて、例えば防水層に貫通させて母材に固着させたアンカーボルトの防水層から突出（母材とは反対の側に突出）した部分に、前記アンカーボルトに外挿するための貫通孔を有するキャップをその内側空間に防水用の充填材を充填してから外挿して、前記防水層に形成されている貫通孔を覆うように被せて防水層に押し付け、前記キャップの内側に充填しておいた前記充填材によって、キャップと防水層とによって囲まれる内側の防水性を確保する方法（以下、第１従来工法とも言う）が提案されている（例えば特許文献１）。この方法の場合、例えばアンカーボルトに螺着したナットの締め付けによって防水層に対するキャップの押し付け状態を維持する。
また、特許文献１の明細書（００３７）、（００３８）、図４、図５には、キャップとしてその外周部にＯリングを設けた構成のもの（本明細書において、以下、Ｏリング付きキャップとも言う）を使用する方法（以下、第２従来工法とも言う）も開示されている。
【先行技術文献】
【特許文献】
【０００４】
【特許文献１】特開２０００−１２０２３６号公報
【発明の概要】
【発明が解決しようとする課題】
【０００５】
しかしながら、上述の第１従来工法では、キャップを、母材に固着済みのアンカーボルトにその突出先端から外挿してアンカーボルトに沿って移動させる際に、キャップの内側空間に充填されている充填材がアンカーボルトに付着することが避けられず、アンカーボルトの清掃が必要になる等の問題点がある。
また、この第１従来工法では、充分な防水性能を確保するには、充填材を充填したキャップを防水層に対してしっかりと押し付けて充填材を防水層に確実に接触させる必要があるが、この点、充填材はキャップから盛り上がるように充分な量を肉盛りしておく必要があり、この量が不足すると防水性の確保に影響を与えやすい。しかし、現場において、必要量の充填材を計量し、この充填材をキャップからこぼれないように肉盛りすることは手間の掛かる作業であり、作業性を低下させる。
さらに、充填材の肉盛りを充分に行えたとしても、アンカーボルトに外挿したキャップのアンカーボルト長手方向への移動によって充填材がアンカーボルトに引き摺られる結果、充填材表面がその中央部（アンカーボルト付近）で窪んだ形状になり、防水層の貫通孔付近への充填材の押し付けが充分に行えなく可能性がある。充填材として、下向き作業や横向き作業を行う場合にキャップからこぼれ落ちにくくするために比較的粘度が高いものを使用した場合は、キャップのアンカーボルト長手方向への移動による充填材表面中央部の窪みの形成が顕著になってくる。また、アンカーボルトに外挿したキャップをアンカーボルト長手方向に移動させる際の作業性が低下するといった問題もある。
【０００６】
上述のように、第１従来工法は、作業性、防水層の貫通孔付近の防水の確実性の点で不利な工法である。また、アンカーボルトに外挿したキャップをアンカーボルト長手方向に移動したときにアンカーボルトに引き摺られるようにしてキャップから抜け出す充填材が無駄となる上、前記抜け出しを考慮して充填材をキャップに対して大きく盛り上がるように肉盛りした状態とすると、キャップを防水層に押し付けたときにキャップの外側に大量の充填材がはみ出すことが多々発生し、充填材の無駄が多いといった問題がある。
【０００７】
一方、第２従来工法では、特許文献１の明細書（００３７）、図４、図５を参照して判るように、前記Ｏリング付きキャップとして、その内側にスポンジ等の吸水性の成形部材を詰めた構成のものを使用する。この工法では、第１従来工法におけるアンカーボルトへの充填材の付着、作業性の低下、充填材表面中央部の窪みの形成といった問題を解消できるものの、スポンジ等の吸水性の成形部材は雨水等の侵入を防ぐものではなく、充分な防水性を確保できるものとは言い難いものである。
【０００８】
上述のように、従来、アンカーボルトへの充填材の付着、作業性の低下、充填材の無駄の問題を解消でき、防水層に形成された防水層貫通孔の防水を確実に行うことができる適切な技術なこれまでなく、その開発が求められていた。
【０００９】
本発明は、前記課題に鑑みて、従来技術において発生するアンカーボルトへの充填材の付着、作業性の低下、充填材の無駄の問題を解消でき、防水層に形成された防水層貫通孔の防水を確実に行うことができる防水施工方法、この防水施工方法に好適に用いることができる防水用ディスクの提供を目的としている。
【課題を解決するための手段】
【００１０】
上記課題を解決するために、本発明では以下の構成を提供する。
第１の発明は、母材表面の防水層を貫通して設けられたアンカー体の前記防水層から突出された部分である突出部に外挿して、前記アンカー体の前記突出部の根元の周囲に防水用充填材を肉盛りした充填材盛り上げ部に押し付けることで、前記防水層の前記アンカー体が貫通されている防水層貫通孔及びその廻りの防水に用いられる防水用ディスクであって、円盤状の主板部の片面側に該主板部の外周に沿って突設された外周突壁及び前記主板部の中央部に突設された中央突壁を有し前記アンカー体が挿通されるアンカー体挿通孔が前記中央突壁及び前記主板部を貫通して形成されたディスク本体と、このディスク本体のリング状の前記中央突壁とリング状の前記外周突壁との間に確保された環状溝に挿入して前記中央突壁の外周に設けられたＯリングとを備え、前記Ｏリングと前記外周突壁との間にはクリアランスが確保され、前記外周突壁の前記主板部からの突出寸法が前記中央突壁の前記主板部からの突出寸法よりも大きく設定され、かつ前記Ｏリングの断面径が前記外周突壁の前記主板部からの突出寸法よりも大きく設定されていることを特徴とする防水用ディスクを提供する。
第２の発明は、前記Ｏリングと前記外周突壁との間の前記クリアランスが、前記ナットの締め付け力によって前記Ｏリングを前記防水層に押し付けて弾性変形させ前記防水層に前記外周突壁を押し付けたときに、前記Ｏリングと前記外周突壁との間の非接触状態を維持し前記Ｏリングと前記外周突壁との間に前記防水用充填材を収容するリング状の外側環状凹所を確保できる大きさとされていることを特徴とする第１の発明の防水用ディスクを提供する。
第３の発明は、アンカー体を母材表面に設けられた防水層に形成された防水層貫通孔に貫通させて前記母材に固着したアンカー施工箇所について、第１又は２の発明の防水用ディスクを用いて前記防水層貫通孔及びその廻りの防水を行う防水施工方法であって、前記アンカー体の前記突出部の根元の周囲に防水用充填材を盛り上げておいた充填材盛り上げ部を設けておき、アンカー体の前記防水層から突出された突出部に前記Ｏリングが前記母材側となる向きで外挿した前記防水用ディスクを、前記アンカー体の前記突出部に設けられている雄ねじ部に螺着したナットの締め付けによって前記防水用ディスクを介して前記防水層とは反対側から押圧して前記防水層に押し付けて固定することを特徴とする防水施工方法を提供する。
第４の発明は、前記アンカー体は、前記母材に前記防水層貫通孔に連通させて形成された下穴に挿入して前記母材に対して機械的に固着される機械的固着部を有し、前記機械的固着部によって前記母材に固着されており、前記充填材盛り上げ部が、前記下穴に入れておいた接着材を前記下穴への前記アンカー体の挿入によって前記下穴から溢れさせて前記アンカー体の前記突出部の根元の周囲に盛り上がらせて肉盛り状態としたものであることを特徴とする第３の発明の防水施工方法を提供する。
【発明の効果】
【００１１】
本発明によれば、母材に対する機械的固着を行ったアンカー体の前記突出部の根元の周囲に形成した充填材盛り上げ部に防水用ディスクを押し付ける構成であるため、既述の第１従来工法において発生するアンカーボルトへの充填材の付着、充填材の無駄、作業性の低下といった問題を解消できる。
防水用ディスクは、円盤状の主板部の片面側に外周突壁と中央突壁とが突設されたディスク本体の前記外周突壁と中央突壁との間の環状溝に挿入されたＯリングが前記中央突壁の外周に設けられ、しかも環状溝においてＯリングと前記外周突壁との間にはクリアランスが確保されている構成であり、防水層への押し付けによって弾性変形した前記Ｏリングを環状溝内に収納できる。このような防水用ディスクの構成であれば、防水層への押し付けによって前記Ｏリングが前記クリアランスを狭くする（あるいは埋め込む）ように変形することで、Ｏリングの防水層に対する接触面積を広く確保できるため、優れた防水性能を確保できる。また、これにより、Ｏリングの内側を充填材によって確実に埋め込むことができ、優れた防水性能が得られる。
【００１２】
さらに、本発明によれば、防水用ディスクを防水層に押し付けたときに、Ｏリングと前記外周突壁との間のクリアランスに入り込んだ防水用充填材が、防水層への押し付けによるＯリングの弾性変形に伴い前記クリアランスから押し出されることで、例えば防水層表面の傷や小さな凹所などによって防水用ディスクの外周突壁と防水層との間に形成された微小な隙間が防水用充填材の流入によって埋め込まれ、防水用充填材によって確実に封止されることとなる。
アンカー体の突出部の根元の周囲に設ける充填材盛り上げ部のアンカー体の外周廻り方向における形状が均等でなく偏在が存在していても、Ｏリングの防水層への押し付けによる弾性変形の進行に伴い、Ｏリングと前記外周突壁との間のクリアランスの全周にわたって該クリアランス内の防水用充填材の量が均等化されていくため、前記外周突壁の全周にわたって外周突壁と防水層との間の防水性の確保を容易に実現できる。
また、防水用ディスクの防水層への押し付けに伴うＯリングの弾性変形によって、外周突壁の内側の防水用充填材が加圧されるため、これにより、アンカー体と防水用ディスクのアンカー体挿通孔内面との間に存在する隙間にも充填材収容凹所から防水用充填材を入り込ませることが可能である。その結果、アンカー体挿通孔の防水も行える。
【図面の簡単な説明】
【００１３】
【図１】本発明に係るアンカー体及び防水用ディスクの一例を示す分解図である。
【図２】図１の防水用ディスクの構造を示す断面図である。
【図３】図１の防水用ディスクの構造を示す図であって、（ａ）は分解斜視図、（ｂ）は組み立て状態を示す斜視図である。
【図４】（ａ）〜（ｃ）は、本発明に係る防水施工方法を説明する図である。
【図５】施工を完了したアンカー体に器物を取り付けた状態を示す図である。
【発明を実施するための形態】
【００１４】
以下、本発明の１実施形態を図面を参照して説明する。
ここでは、図４（ａ）〜（ｃ）に示すように、母材１表面に設けられた防水層３に形成された防水層貫通孔３ａに貫通させたアンカー体２０を前記母材１に固着する工法において、前記防水層貫通孔３ａ及びその廻りの防水を行うために防水用ディスク３０を用いる防水施工方法を説明する。
【００１５】
まず、前記アンカー体２０、防水用ディスク３０について説明する。
図１、図４（ａ）〜（ｃ）に示すように、アンカー体２０は、母材１（ここではコンクリート母材）に穿設された下穴２（非貫通孔）に挿入して母材１に固着されるものである。
防水用ディスク３０は、このアンカー体２０に外挿可能なリング状に形成されている。この防水用ディスク３０は、図４（ｃ）に示すように、前記下穴２に挿入して母材１に固着したアンカー体２０の前記防水層３から突出する突出部２５に外挿して、前記突出部２５（アンカー体２０）に形成された雄ねじ部２１に螺着されたナット４０の締め付けによって、防水層３に押し付けるようにして固定される。図１中符号５０は座金であり、前記アンカー体２０に外挿して前記防水用ディスク３０と前記ナット４０の間に介挿される。
アンカー体２０、ナット４０、座金５０はいずれも金属製である。また、防水用ディスク３０は、金属製のディスク本体３１に、ゴム等の弾性材料からなるＯリング３２を装着した構成になっている。
【００１６】
前記アンカー体２０は前記下穴２に挿入される部分（埋め込み長部分）に前記母材１に対する機械的固着を実現するための機械的固着部２２を有している。
図示例のアンカー体２０は、具体的には、棒状のボルト２３（アンカー本体）と、このボルト２３の先端を筒状に形成した拡張部２３１の内側に嵌め込まれたコーン２４とを具備して構成され、前記拡張部２３１が機械的固着部２２として機能する。
なお、このアンカー体２０について、以下、コーン２４が設けられている側を先端側、これと反対の側を後端側として説明する。
【００１７】
前記コーン２４は、図４（ａ）等に示すようにアンカー体２０を下穴２に挿入したときに前記下穴２の穴底２ａに突き当てられる当接先端部２４１と、この当接先端部２４１から突出する先細りのテーパ状に形成された嵌合部２４２とを有し、前記嵌合部２４２の前記当接先端部２４１とは反対側の端部をボルト２３の前記拡張部２３１の内側のコーン収納穴２３２に嵌め込んでボルト２３に取り付けられている。
【００１８】
ボルト２３の拡張部２３１は、スリット状の割り溝２３３によって複数に分割されている。拡張部２３１の割り溝２３３は、後述のように、コーン２４にボルト２３を打ち込んだときに、拡張部２３１を拡張しやすくするためのものである。
このアンカー体２０は、図４（ａ）等に示すようにその先端側から母材１の下穴２に挿入して、前記コーン２４の当接先端部２４１を前記下穴２の穴底２ａに突き当てた状態で、前記母材１から突出されたボルト２３の後端をハンマー等を用いて叩打して、拡張部２３１をコーン２４に打ち込んで拡張させることで、前記拡張部２３１が下穴２の孔壁に食い込んで母材１に固着（機械的固着）されるようになっている。
【００１９】
なお、本発明に係るアンカー体の機械的固着部としては、母材に穿設した下穴に挿入して母材に対する機械的固着を実現できるものであれば特には限定は無い。上述のような下穴２の穴底２ａに当接させたコーン２４へのアンカー本体（ボルト２３）の打ち込みによって拡張される構成の拡張部２３１に限定されず、例えば芯棒の打ち込みによって拡張される拡張部、内部コーンの打ち込みによって拡張される拡張部等、様々な構成のものを採用できる。
すなわち、本発明にあっては、アンカー体として、芯棒打ち込み式のもの、内部コーン打ち込み式のもの等、金属拡張アンカーとして周知の構造のものを採用可能であり、また、金属拡張アンカー以外に金属系アンカーとして周知の構造のものを採用できる。
【００２０】
本発明に係るアンカー体としては、例えば、周知の金属拡張アンカー、金属系アンカーの一種であるねじ込み式アンカー、等を採用できる。前記金属拡張アンカーの場合、拡張によって母材に固着する拡張部が機械的固着部として機能する。ねじ込み式アンカーの場合は、その埋め込み長部分の内、下穴内周面２ｂを形成する孔壁に切り込む螺旋状の切り刃が形成されている部分が機械的固着部として機能する。
【００２１】
また、ここで説明するアンカー体は、上述のように、金属拡張アンカー等の周知の金属系アンカーであり、さらに、アンカー本体の母材の下穴に対する埋め込み長（埋め込み深さ）部分が、前記機械的固着部のみならず、下穴に入れた接着材によっても母材に固着される構成となっているものである。
なお、従来周知の接着系アンカー（接着材の接着力のみによって母材に固着されるアンカー）は、一般に、接着材の硬化による固着力発現後にアンカーへの器物の取り付けが可能となるが、上述のように、アンカー体に使用するアンカーとして、下穴に入れた接着材による母材への固着のみならず、前記機械的固着部によって母材への固着が可能である構成となっているアンカーを使用した構成であれば、機械的固着部による固着が完了すれば、接着材の硬化前でもアンカー体への器物の取り付けが可能であるといった利点がある。
【００２２】
上述の金属拡張アンカーの場合は、母材にアンカー体（アンカー本体）の外径よりも若干大きい内径の下穴を穿設して、この下穴にアンカー体を挿入して拡張部（機械的固着部）を拡張させて母材に固着する構成であり、アンカー体を接着材を入れた下穴に挿入したとき、アンカー体と下穴の内周面との間に存在するクリアランスに接着材を入り込ませることができ、これにより接着材による母材に対する固着を行える。
図４（ａ）中、符号４ａは、アンカー体２０と下穴２の内周面２ｂとの間に入り込んだ接着材４を指す。
【００２３】
また、金属拡張アンカーは、アンカー体を接着材を入れた下穴に挿入することで、下穴内の接着材を母材表面における下穴の開口部から溢れさせることが可能である。図４（ａ）に示すように、アンカー体２０を母材１表面に設けられた防水層３に形成された防水層貫通孔３ａを貫通させて該防水層貫通孔３ａに連通する母材１の下穴２に挿入（防水層貫通孔３ａと下穴２とが互いに連通されてなる連通下穴５に挿入）する場合、下穴２へのアンカー体２０の挿入によって下穴２内の接着材４を防水層貫通孔３ａを介して防水層３上に盛り上がるように溢れさせることが可能である。したがって、アンカー体を防水層貫通孔３ａから下穴２に挿入することで、アンカー体２０の防水層３から突出する部分（突出部２５）の根元の周囲に接着材４を盛り上がらせた盛り上げ部４ｂ（接着材盛り上げ部）を形成できる。
【００２４】
前記ボルト２３はその全長にわたって外周面にねじ山が形成されており、その全体が前記ナット４０を螺着可能な雄ねじ部２１として機能する。
なお、ボルト２３は、全体が雄ねじ部とされている構成に限定されず、例えば、その長手方向において、アンカー体２０を連通下穴５に挿入したときに防水層３から突出する突出部２５となる部分のみを雄ねじ部とした構成としても良い。
【００２５】
図２、図３（ａ）、（ｂ）に示すように、防水用ディスク３０（以下、単にディスクとも言う）は、ディスク本体３１にＯリング３２を装着した構成になっている。
前記ディスク本体３１は、円盤状の主板部３３の片面側に、該主板部３３の外周に沿って突設された外周突壁３４と前記主板部３３の中央部に突設された中央突壁３５とを有し、前記アンカー体２０が挿通されるアンカー体挿通孔３６が前記中央突壁３５及び前記主板部３３を貫通して形成された構成になっている。
【００２６】
前記中央突壁３５の前記主板部３３からの突出先端の端面（中央突壁端面３５ａ）は、前記アンカー体挿通孔３６の軸心に垂直の平坦面とされている。主板部３３の前記外周突壁３４及び中央突壁３５とは反対側の面（背面３３ａ）も、前記アンカー体挿通孔３６の軸心に垂直の平坦面とされている。また、外周突壁３４の前記主板部３３からの突出先端の端面（外周突壁端面３４ａ）も、前記アンカー体挿通孔３６の軸心に垂直の平坦面とされている。
アンカー体挿通孔３６は、その一端が前記主板部３３の背面３３ａの中央部に開口され、他端が前記中央突壁端面３５ａの中央部に開口されている。
【００２７】
図示例のディスク３０のディスク本体３１の前記中央突壁３５はリング状に形成されている。中央突壁３５の外周面３５ｂは、前記アンカー体挿通孔３６の軸心を中心とする円筒面をなしている。
ディスク本体３１の前記中央突壁３５及び外周突壁３４は、前記アンカー体挿通孔３６の軸心を中心とする同心円状に形成されている。
【００２８】
前記外周突壁３４は、アンカー体挿通孔３６の軸心を中心とする径方向において前記中央突壁３５からその外側（アンカー体挿通孔３６の軸心から遠い側）に離隔した位置に形成されている。このディスク本体３１のリング状の前記中央突壁３５とリング状の前記外周突壁３４との間には環状溝３７が確保されている。
前記Ｏリング３２は、前記環状溝３７に挿入して、該Ｏリング３２自体の弾性によって前記中央突壁３５の外周（外周面３５ｂ）に装着して設けられている。
【００２９】
図２に示すように、前記ディスク３０は、ディスク本体３１の前記外周突壁３４の前記主板部３３からの突出寸法ｔ３４（図２に付記した環状溝３７の深さｄと同じ）が前記中央突壁３５の前記主板部３３からの突出寸法ｔ３５よりも大きく設定されている。
また、Ｏリング３２は、その断面径Ｒが、前記環状溝３７の深さｄ（換言すれば、外周突壁３４の主板部３３からの突出寸法）よりも大きい。このため、ディスク３０において、前記Ｏリング３２は、前記アンカー体挿通孔３６の軸心に垂直で外周突壁端面３４ａと一致（重なる）する仮想面３８（以下、本体開口部仮想面とも言う）から主板部３３とは反対側（図２において下側。以下、押圧面側とも言う）へ突出されている。
【００３０】
環状溝３７の溝幅、すなわち中央突壁３５と外周突壁３４との間の距離は、Ｏリング３２の断面径Ｒよりも大きく、前記Ｏリング３２と前記外周突壁３４との間にはクリアランスＣが確保されている。
このため、図４（ｃ）に示すように、アンカー体２０の雄ねじ部２１に螺着したナット４０の締め付けによってディスク３０を母材１表面の防水層３に押し付けたとき、ナット４０の締め付け力によってＯリング３２を潰れる（断面形状が環状溝３７の溝幅に沿って偏平な形状となる）ように弾性変形させることができる。ここで、Ｏリング３２は、外周突壁端面３４ａから押圧面側への突出（すなわち前記本体開口部仮想面３８から押圧面側への突出）が解消されるまで弾性変形させることができ、これにより、外周突壁３４を防水層４に押し付けることが可能となっている。
【００３１】
次に、前記アンカー体２０、防水用ディスク３０を用いた防水施工方法を説明する。
ここで説明する防水施工方法は、ドリル等の穿孔用工具を用いて前記防水層３を貫通する前記防水層貫通孔３ａを形成するとともに母材１に前記防水層貫通孔３ａに連通する下穴２を形成（すなわち連通下穴５を形成）する下穴形成工程（図４（ａ）参照）と、アンカー接着用の接着材４を入れた前記連通下穴５にアンカー体２０を挿入して機械的固着部２２を母材１に固着させる機械的固着工程（図４（ａ）、（ｂ）参照）と、前記アンカー体２０の前記防水層３から突出する突出部２５に外挿されたディスク３０を、アンカー体２０の前記雄ねじ部２１に螺着して前記ディスク３０よりもアンカー体２０の後端側に配置したナット４０の締め付けによって防水層３に押し付けて固定するディスク固定工程（図４（ｂ）、（ｃ）参照）とを具備する。
そして、ディスク固定工程の完了後、前記接着材４が硬化することで、アンカー体２０の母材１に対する接着材４による固着が実現される。
【００３２】
前記接着材４は、硬化性液状物であり、例えばエポキシ樹脂系、ウレタン樹脂系等の合成樹脂系接着材を好適に用いることができるが、これに限定されず、接着系アンカー用の接着材として使用される周知のものを使用可能である。例えばセメント系接着材等の無機系のものも採用可能である。また、接着材４としては、アンカー本体２０を連通下穴５に挿入したときに、前記アンカー体２０の前記防水層３から突出する突出部２５の根元の周囲に盛り上がる接着材盛り上げ部４ｂを形成できる程度の粘性を有するものが採用される。
接着材４は未硬化の液状の状態で、例えばノズル付き吐出器等を用いて下穴２に充填する。
【００３３】
また、この接着材４としては、硬化によって防水性を有する硬化物を形成するものが採用される。この接着材４は、図４（ｃ）に示すように、前記Ｏリング３２の前記中央突壁３５よりも押圧面側へ突出された部分の内側に確保された凹所３０ａ（以下、充填材収容凹所とも言う）等に充填された状態で硬化することで、該充填材収容凹所３０ａ内の浸水及び連通下穴５への水の浸入を防ぐ防水部を形成する。
前記接着材４は、本発明に係る防水用充填材として機能する。以下、接着材盛り上げ部４ｂを充填材盛り上げ部とも言う。
【００３４】
図４（ａ）に示すように、前記下穴形成工程は、防水層３の表面側（母材１とは反対の側）から、ドリル等の穿孔用工具を用いて前記防水層貫通孔３ａと前記下穴２とを形成する。
これにより、前記防水層貫通孔３ａと前記下穴２とが互いに連通してなる連通下穴５を形成する。
【００３５】
機械的固着工程では、既述のように、前記下穴形成工程にて形成した連通下穴５に接着材４を入れた後、アンカー体２０をその先端側から連通下穴５に挿入して機械的固着部２２の母材１に対する機械的固着も行うが（図４（ｂ）参照）、図４（ａ）に示すように、アンカー体２０の連通下穴５への挿入によって前記接着材４を前記連通下穴５から溢れさせ、前記接着材４を前記アンカー体２０の前記防水層３から突出する突出部２５の根元の周囲に盛り上がらせた接着材盛り上げ部４ｂ（充填材盛り上げ部）の形成も行う。
【００３６】
図示例のアンカー体２０は金属拡張アンカーであり、このアンカー体２０を用いる場合は、下穴形成工程にて、前記防水層貫通孔３ａ及び前記下穴２を前記アンカー体２０の外径よりも若干大きい穿孔径で形成する。
下穴形成工程の完了後、連通下穴５に接着材４を充填し、次いで、アンカー本体２０をその先端側から連通下穴５に挿入することで、図４（ａ）に示すように、前記接着材４を前記連通下穴５から溢れさせ、前記接着材４を前記アンカー体２０の前記防水層３から突出する突出部２５の根元の周囲に盛り上がらせた（肉盛り状態とした）接着材盛り上げ部４ｂを形成する。
次に、ハンマー等を用いてアンカー体２０の後端部を叩打して、ボルト２３（アンカー本体）の拡張部２３１をコーン２４に打ち込んで拡張することで、アンカー体２０を母材１に固着（機械的固着）させる。
【００３７】
なお、下穴形成工程及び機械的固着工程は、図４（ａ）に示すように、ディスク３０、座金５０、ナット４０をアンカー体２０から取り外した状態（すなわちアンカー体のみの状態）にて行い、機械的固着工程の完了後に、アンカー体２０の突出部２５へのディスク３０、座金５０の外挿、ナット４０の螺着を行う。
【００３８】
図４（ｂ）、（ｃ）に示すように、ディスク固定工程では、アンカー体２０の前記防水層３から突出された部分である突出部２５に、その突端（図４（ｂ）において上端）から、ディスク３０を前記Ｏリング３２が前記防水層３に対面する向き（すなわち、ディスク３０の押圧面側が防水層３側となる向き）で外挿する（図４（ｂ））とともに、前記突出部２５に座金５０を外挿してアンカー体２０の長手方向における前記ディスク３０の後端側に配置し、さらに、前記雄ねじ部２１の突出部２５に位置する部分にナット４０を螺着し、このナット４０の締め付けによってディスク３０を防水層３に押し付けて固定する（図４（ｃ））。
【００３９】
図４（ｃ）に示すように、ディスク３０の防水層３への押し付けによる固定は、アンカー体２０の突出部２５の根元の周囲に形成されている接着材盛り上げ部４ｂのディスク３０による押圧を生じた後、Ｏリング３２が防水層３（防水層貫通孔３ａの周囲に位置する防水層３）に接触し、さらに、ナット４０の締め付け力によってＯリング３２を弾性変形させて外周突壁３４を防水層３に押し付けることにより実現される。
【００４０】
ディスク３０による充填材盛り上げ部４ｂの押圧が開始されると、ディスク３０の防水層３への接近に伴い、充填材盛り上げ部４ｂが偏平化されていき、まず、前記Ｏリング３２の前記中央突壁３５よりも押圧面側へ突出された部分の内側に確保された充填材収容凹所３０ａ内が接着材４によって満たされ（図４（ｂ））、Ｏリング３２と外周突壁３４との間のクリアランスＣにも次第に接着材４が充填されていく。
なお、ディスク３０による充填材盛り上げ部４ｂは、充填材盛り上げ部４ｂが未硬化の状態で行われることは言うまでもない。
【００４１】
Ｏリング３２が防水層３に接触した後は、Ｏリング３２によって充填材収容凹所３０ａの内外が仕切られるため、充填材収容凹所３０ａ内の接着材４のＯリング３２から外周突壁３４側への漏出が阻止される。このため、ディスク３０の防水層３へのさらなる接近に伴い、充填材収容凹所３０ａ内の接着材４（充填材）が加圧されることにより、ディスク３０のアンカー体挿通孔３６内面とアンカー体挿通孔３６内に挿通されているアンカー体２０との間に存在する隙間に流入していく（図４（ｃ）参照）。この結果、接着材４が硬化すれば、アンカー体挿通孔３６の防水も実現される。
【００４２】
また、このとき、ディスク３０の防水層３への接近に伴い、Ｏリング３２が該Ｏリング３２と外周突壁３４との間のクリアランスＣを狭くするように弾性変形することにより、ディスク３０の防水層３への押し付けによる固定が完了するまでに、クリアランスＣに流入していた接着材４のクリアランスＣからの押し出しが開始される。
前記クリアランスＣから押し出された接着材４は、例えば防水層３表面の傷や小さな凹所などによってディスク３０の外周突壁３４と防水層３との間に形成された微小な隙間に流入して、これを埋め込む。これにより、外周突壁３４と防水層３との間を接着材４によって確実に封止することができる。
【００４３】
なお、外周突壁３４と防水層３との間の防水性の確実な確保の点では、ディスク３０の外周全周にわたって接着材４のはみ出し（はみ出し部４ｃ）を生じさせることが好ましい。
また、アンカー体２０の連通下穴５への挿入によって形成した接着材盛り上げ部４ｂのサイズが小さく、接着材量が不足する場合は、例えば、前記接着材盛り上げ部４ｂに別途防水用充填材（ここでは接着材４）を追加してから、ディスク３０の前記防水層３への押し付けを行うことも可能である。
【００４４】
また、この構成であれば、Ｏリング３２の防水層３への押し付けによる弾性変形の進行に伴い、前記クリアランスＣの全周にわたって該クリアランスＣ内の接着材４の量が均等化されていく。このため、アンカー体２０の突出部２５の根元の周囲に設ける充填材盛り上げ部４ｂのアンカー体２０の外周廻り方向における形状が均等でなく偏在が存在していても、Ｏリング３２の防水層３への押し付けによる弾性変形の進行に伴う前記クリアランスＣからの接着材４の押し出し量を均等化することができる。その結果、前記外周突壁３４の全周にわたって、ディスク３０の外周突壁３４と防水層３との間への接着材４の流入による防水性の確保を容易に実現できる。
【００４５】
充填材収容凹所３０ａやクリアランスＣへの接着材４の確実な流入、充填材収容凹所３０ａやクリアランスＣにおける接着材４の充填状態の均等化のためには、ディスク固定工程にて、前記アンカー体２０の前記突出部２５に外挿した前記ディスク３０の前記ナット４０の締め付けによる固定前に、前記ディスク３０を接着材盛り上げ部４ｂに押圧しながら回転させて、前記ディスク４０の充填材収容凹所３０ａやクリアランスＣへ接着材４を充填する回転充填作業を行い、この回転充填作業の完了後に前記ナット４０を締め付けて前記ディスク３０を固定することが好ましい。
【００４６】
図４（ｃ）に示すように、ディスク３０の防水層３への押し付けによる固定が完了し、接着材４が硬化すると、充填材収容凹所３０ａに収容された接着材４（これが硬化してなる防水部）と、防水層３に押し付けられたＯリング３２と、防水層３に押し付けられた外周突壁３４とによって三重のシールが実現され、優れた防水性能を確保できる。
また、防水層３への押し付けによって前記Ｏリング３２が前記クリアランスＣを狭くする（あるいは埋め込む）ように変形することで、Ｏリング３２の防水層３に対する接触面積を広く確保できるため、このことも優れた防水性能の確保に有効に寄与する。
【００４７】
さらに、図４（ｃ）に示すように、図示例のディスク３０は、前記Ｏリング３２と前記外周突壁３４との間の前記クリアランスＣが、前記ナット４０の締め付け力によって前前記外周突壁３４を記防水層３に押し付けたときに、前記Ｏリング３２と前記外周突壁３４との間の非接触状態を維持し前記Ｏリング３２と前記外周突壁３４との間に接着材４を収容するリング状の外側環状凹所３０ｂを確保できる大きさとされている。
このため、外側環状凹所３０ｂに入り込んだ接着材４も、防水性の確保に有効に寄与することとなり、四重のシールが実現されることとなる。
Ｏリング３２の防水層３への押し付けによる弾性変形の進行に伴い前記クリアランスＣの全周にわたって該クリアランスＣ内の接着材４の量が均等化されることで、接着材４による外側環状凹所３０ｂ全体の埋め込みは容易に実現される。
【００４８】
ディスク３０としては、例えば図５に示すように、ディスク３０の防水層３への押し付けによる固定完了時に、Ｏリング３２が外周突壁３４に達し、Ｏリング３２によってクリアランスＣが埋め込まれる構成のものも採用可能である。図５のディスク３０に符号３０Ａを付記する。
この場合でも、前記クリアランスＣからの接着材４の押し出しによって、接着材４がディスク３０の外周突壁３４と防水層３との間に流入することで、外周突壁３４と防水層３との間の防水性を確実に確保することができることは言うまでも無い。
【００４９】
本発明にあっては、充填材収容凹所３０ａに収容された接着材４（これが硬化してなる防水部）と、防水層３に押し付けられたＯリング３２と、防水層３に押し付けられた外周突壁３４とによって三重のシールを実現できるが、ディスク３０の充填材収容凹所３０ａは、Ｏリング３２の内側にディスク本体３１の主板部３３に突設された中央突壁３５が存在する分、中央突壁が存在しない構成（例えば、特許文献１の図４参照）に比べて、充填材収容凹所３０ａの埋め込みに要する防水用充填材（接着材４）の量（充填量）を少なく抑えることができる。
また、Ｏリング３２の防水層３への押し付けに伴う弾性変形によるクリアランスＣからの接着材４の押し出しを生じさせるためにクリアランスＣに流入させる接着材量は、Ｏリング３２の防水層３への押し付け前のクリアランスＣの容積よりも少なくて良く、外側環状凹所３０ｂの容積よりも若干多い程度であれば足りる。図５に例示したように、ディスク３０の固定完了時にＯリング３２が外周突壁３４に達する構成の場合は外側環状凹所３０ｂが生じないため、外側環状凹所３０ｂを接着材４で埋め込む必要が無く、充填材盛り上げ部４ｂに確保すべき接着材量はさらに少なくて済む。
このため、本発明では、アンカー体２０の突出部２５の根元の周囲に設ける充填材盛り上げ部４ｂを無用に大きくする必要が無く、防水用充填材の使用量を抑えることができる。
【００５０】
上述の構成のディスク３０にあっては、ディスク本体３１の前記外周突壁３４の前記主板部３３からの突出寸法ｔ３４が前記中央突壁３５の前記主板部３３からの突出寸法ｔ３５よりも大きく設定されており、ディスク３０の防水層３への押圧による固定完了時には、Ｏリング３２は、中央突壁３５よりも押圧面側（防水層３側）に突出した状態を維持したまま、その全体が外周突壁３４と中央突壁３５との間の環状溝３７内に収容される。このため、このディスク３０は、その構造上、断面径が大きい（太い）Ｏリング３２を使用した場合であっても、例えば特許文献１の図４に示される構成に比べて固定完了時のディスク３０の防水層３からの突出寸法の抑制が容易である。
仮に、特許文献１の図４に示されるＯリング付きキャップの内側に成形部材にかえて充填材を充填する場合を想定すると、この場合、キャップを防水層へ押し付ける押し付け力によってＯリングが潰れるように弾性変形することが、防水層に対する充填材の押し付けに有利に寄与することを期待できる。この点、防水層に対する充填材の押し付けを容易にするために、例えばＯリングとして断面径が大きいものを採用してＯリングのキャップ（特許文献１の図４記載のキャップにおいて詳細にはリング状の側壁部）からの突出寸法を大きくすることが考えられるが、Ｏリングの突出寸法を大きくするとキャップの防水層からの突出寸法の縮小の点で不利である。
これに対して前記ディスク３０は、上述のように、その構造上、断面径が大きい（太い）Ｏリング３２を使用した場合であっても、固定完了時のディスク３０の防水層３からの突出寸法の抑制が容易である。その結果、図５に示すように、アンカー体２０の突出部２５におけるナット４０を介してディスク３０とは反対側に位置する部分（ナット４０から後端側に突出した部分）に取り付けた器物６０等から作用する外力に対するアンカー体２０の曲げモーメントを小さくすることに有利である。
【００５１】
なお、図５において、器物６０にはアンカー体２０を貫通させるための貫通孔６１が形成されており、器物６０は、前記貫通孔６１内をアンカー体２０の突出部２５が貫通するようにして前記突出部２５に外挿され、ディスク３０を防水層３に押し付けるための前記ナット４０と、前記突出部２５（雄ねじ部２１）の前記器物６０よりも突端側（アンカー体２０の後端側）の部分に螺着したナット４１との間に挟み込むようにして固定されている。図５において、符号４２は、器物固定用のナット４１の緩み防止用のナット、符号４３、４４は座金である。
【００５２】
また、本発明は、母材１に対する機械的固着を行ったアンカー体２０の前記突出部２５の根元の周囲に形成した充填材盛り上げ部４ｂにディスク３０を押し付けて防水用充填材（ここでは接着材４）を充填材収容凹所３０ａに充填するのであり、充填材収容凹所３０ａへの防水用充填材の充填を充填材盛り上げ部４ｂへのディスク３０の押し付けによって行う（充填材盛り上げ部４ｂへのディスク３０の押し付けは、充填材収容凹所３０ａに防水用充填材が入っていない状態で行う）構成であるから、既述の第１従来工法において発生するアンカーボルトへの充填材の付着、作業性の低下といった問題を解消できる。
本発明によれば、防水層貫通孔３ａ及びその付近の防水を行うための作業性が良好である。
【００５３】
なお、上述の実施形態では、アンカー体２０を母材１に固着するために連通下穴５に充填する接着材４を防水用充填材として用いて、ディスク４０の充填材収容凹所３０ａ等に充填する構成を例示したが、本発明はこれに限定されず、例えば接着材４にかえて接着性を有していない防水用充填材（例えば硬化によって防水性の硬化物を形成する液状の樹脂組成物等）を用いることも可能である。
この場合、例えば、充填材盛り上げ部４ｂのサイズが小さく、接着材量が不足する場合に、前記充填材盛り上げ部４ｂに別途追加する防水用充填材としても、接着性を有していない防水用充填材を採用できることは言うまでも無い。
【００５４】
また、本発明に係るディスク３０は、機械的固着部２２による母材１への機械的固着の他に連通下穴５内に充填した接着材４による母材１に対する接着固定も行うアンカー体を具備するアンカー（金属系アンカー）への適用、このようなアンカーを用いた防水施工方法への適用に限定されず、例えば、母材１に対する固着を機械的固着部２２による機械的固着のみによって行うアンカー、このようなアンカーを用いた防水施工方法に適用することも可能である。
【符号の説明】
【００５５】
１…母材、２…下穴、２ａ…穴底、２ｂ…内周面、３…防水層、３ａ…防水層貫通孔、４…防水用充填材（接着材）、４ａ…アンカー体と下穴内周面との間に入り込んだ接着材、４ｂ…盛り上げ部、４ｃ…はみ出し部、５…連通下穴、
２０…アンカー体、２１…雄ねじ部、２１ａ…ねじ山、２２…機械的固着部、２３…ボルト、２３１…拡張部、２３２…コーン収納穴、２３３…割り溝、２４…コーン、２４１…当接先端部、２４２…嵌合部、２５…突出部、３０、３０Ａ…防水用ディスク、３０ａ…充填材収容凹所、３０ｂ…外側環状凹所、３１…ディスク本体、３２…Ｏリング、３３…主板部、３４…外周突壁、３４ａ…外周突壁端面、３５…中央突壁、３５ａ…中央突壁端面、３６…アンカー体挿通孔、３７…環状溝、３８…本体開口部仮想面、４０…ナット、４１、４２…ナット、４３、４４…座金、５０…座金、６０…器物、７０…アンカー体、７１…突出部、８１…充填材盛り上げ部、Ｃ…（外周突壁とＯリングとの間の）クリアランス、ｄ…（環状溝の）深さ、Ｒ…Ｏリングの断面径、ｔ３４…外周突壁の主板部からの突出寸法、ｔ３５…中央突壁の主板部からの突出寸法。
【図１】
2010265670.tif 000003
【図２】
2010265670.tif 000004
【図３】
2010265670.tif 000005
【図４】
2010265670.tif 000006
【図５】
2010265670.tif 000007